(57)【要約】【課題】手指とのフィット感及び操作性を損なうことなく、正しい箸の持ち方の習得に寄与できるとともに、使用中に不用意に箸が落下するのを良好に防止できるうえ、構造が簡単で製作を簡単に行える箸を提供する。【解決手段】一方に長く形成され、一端１２Ｔ側につまみ部１６が他端１２Ｕ側に把持部１８が形成される箸本体１２と、把持部１８の端部（１２Ｕ）寄り位置に該箸本体１２の長手軸１２０からその軸回り外周方向に向けて突設された突起部１４と、を備え、箸本体１２と突起部１４の下縁１４ａとの接続部分２２が、箸本体１２を手で持った際に親指Ｆ１に引っ掛って箸本体の滑落を防止する指掛り部２４を構成しており、指掛り部２４は、親指Ｆ１の丸みを帯びた立体曲面形状に対応して親指の曲面に面密着するように箸本体１２と突起部の下縁１４ａとを滑らかに連続して接続するＲ状湾曲面２６を含むことを特徴とする箸１０から構成される。【選択図】図１
0003149571.tif 000002
【実用新案登録請求の範囲】
【請求項１】
一方に長く形成され、一端側につまみ部が他端側に把持部が形成される箸本体と、
把持部の端部寄り位置に該箸本体の長手軸からその軸回り外周方向に向けて突設された突起部と、を備え、
箸本体と突起部の下縁との接続部分が、箸本体を手で持った際に親指に引っ掛って箸本体の滑落を防止する指掛り部を構成しており、
指掛り部は、親指の丸みを帯びた立体曲面形状に対応して親指の曲面に面密着するように箸本体と突起部の下縁とを滑らかに連続して接続するＲ状湾曲面を含むことを特徴とする箸。
【請求項２】
突起部が設けられた位置からつまみ部側とは逆方向に箸本体を延長する延長部が設けられた請求項１記載の箸。
【請求項３】
突起部は箸本体の長手軸方向から見た際に箸本体から一方向に伸びるように箸本体からＬ字曲折状に突設された請求項１又は２記載の箸。
【請求項４】
指掛り部に沿って親指を係合させた際の、親指と人差指との接続谷部側となる箸本体の側面を略平坦面で形成した請求項３記載の箸。
【請求項５】
箸本体の突起部近傍の横幅が幅広く形成された請求項３又は４記載の箸。
【請求項６】
箸本体は竹を原材料とし、節部を一端部側に含むように縦切断された竹を細幅に加工し、該細幅の竹の節部の一部を突起部として残存加工させることにより、箸本体と突起部とを一体的に形成した請求項１ないし５のいずれかに記載の箸。
【考案の詳細な説明】
【技術分野】
【０００１】
本考案は、例えば、食事、調理、配膳等に使用される箸に関する。
【背景技術】
【０００２】
箸は日本を含むアジア諸国で広く利用されているが、近年ではアジア食文化の世界的な広がりにより欧米等においても箸を利用する人口が増えつつある。しかしながら、箸を扱って食物をつまんだり口に運んだりする際には、指の力加減が微妙であり、特に、幼児、けがや病気、高齢等により手の機能が衰えたものにとっては箸を正しく持てずにスムーズに扱いにくかったり、使用中に不用意に箸を落としてしまう場合があった。これに対し、例えば、幼児や力の弱い老人等が箸を持つ際に、箸を支持する各指の位置をそれぞれ定めて、箸の使い方を習得することができる箸が提案されている。例えば、特許文献１の箸では、第１箸部に親指、人指し指、中指に対応する環状コードを取り付け、第２箸部に親指と薬指に対応する環状コードを取り付け、各環状コードにそれぞれの指を差し込んで使用することにより、箸の使い方を習得しようとするものであった。
【先行技術文献】
【特許文献】
【０００３】
【特許文献１】特開２００４−２３７００７号公報
【考案の概要】
【考案が解決しようとする課題】
【０００４】
しかしながら、特許文献１の箸では、使用する際にいちいち複数の環状コードをそれぞれ対応した指にはめる必要があるので、極めて煩雑で手間がかかり、使い勝手が悪いものであるとともに、箸を手に持った際に環状コードが指の周りに巻き付くので違和感がある場合があった。さらに、細い箸に複数のコードを環状に取り付けるので、構造が複雑で製作作業も煩雑となり、製造しにくいものであった。また、一方で、近時では環境問題により自分自身の箸（いわゆるマイ箸）を持ち歩く生活スタイルが奨励されるなど、箸に対する社会的な注目も大きくなりつつあり、箸商品としての付加価値化やデザイン等の多様化が求められている。
【０００５】
本考案は、上記従来の課題に鑑みてなされたものであり、その一つの目的は、手指とのフィット感及び操作性を損なうことなく、使用中に不用意に箸が落下するのを防止できるうえ、正しい箸の持ち方の習得に寄与できるとともに、構造が簡単で製作を簡単に行える箸を提供することにある。さらに、他の目的は、高付加価値化及び多様化を簡単に実現できる箸を提供することにある。
【課題を解決するための手段】
【０００６】
上記課題を解決するために本考案は、一方に長く形成され、一端１２Ｔ側につまみ部１６が他端１２Ｕ側に把持部１８が形成される箸本体１２と、把持部１８の端部（１２Ｕ）寄り位置に該箸本体１２の長手軸１２０からその軸回り外周方向（Ｄ）に向けて突設された突起部１４と、を備え、箸本体１２と突起部１４の下縁１４ａとの接続部分２２が、箸本体１２を手で持った際に親指Ｆ１に引っ掛って箸本体の滑落を防止する指掛り部２４を構成しており、指掛り部２４は、親指Ｆ１の丸みを帯びた立体曲面形状に対応して親指の曲面に面密着するように箸本体１２と突起部の下縁１４ａとを滑らかに連続して接続するＲ状湾曲面２６を含むことを特徴とする箸１０から構成される。箸の素材は、竹、木、金属、プラスチック等の合成樹脂等任意の原材料でよい。また、突起部１４は原材料から削り出しや、溶融金属の鋳物やプラスチック等の合成樹脂による型形成等により一体的に形成してもよく、箸本体と別個に作ったものを接着剤やビス止め等の任意の固定手段で固定してもよい。また、箸本体１２は、手の大きさ等に合わせて長さが設定され、その断面形状は丸形状、矩形状、五角形、六角形、八角形等の多角形状等任意でよい。また、箸本体１２は、食事用に適した長さに限らず、例えば調理や食事の配膳、取り分け等に利用される菜箸のように比較的長く設けても良い。
【０００７】
また、突起部１４が設けられた位置からつまみ部１６側とは逆方向に箸本体１２を延長する延長部２８が設けられたこととしてもよい。延長部２８はある程度大きく形成されると好適であり、該延長部２８を利用して様々なデザインを創作できる。
【０００８】
また、突起部１４は箸本体１２の長手軸１２０方向から見た際に箸本体１２から一方向Ｄに伸びるように箸本体１２からＬ字曲折状に突設されたこととしてもよい。
【０００９】
また、指掛り部２４に沿って親指Ｆ１を係合させた際の、親指Ｆ１と人差指Ｆ２との接続谷部Ｖ側となる箸本体の側面１２ｂを略平坦面２０で形成したこととしてもよい。略平坦面２０は、真っ直ぐな面に限らず、例えば平面に近い極めてゆるやかに凹又は凸する曲面等でもよく、指や手などに引っ掛かりにくいように設けられるとよい。
【００１０】
また、箸本体１２の突起部１４近傍の横幅Ｗが幅広く形成されたこととしてもよい。
【００１１】
また、箸本体１２は竹５０を原材料とし、節部５２を一端部側に含むように縦切断された竹を細幅に加工し、該細幅の竹の節部５２の一部を突起部１４として残存加工させることにより、箸本体１２と突起部１４とを一体的に形成してもよい。
【考案の効果】
【００１２】
本考案の箸によれば、一方に長く形成され、一端側につまみ部が他端側に把持部が形成される箸本体と、把持部の端部寄り位置に該箸本体の長手軸からその軸回り外周方向に向けて突設された突起部と、を備え、箸本体と突起部の下縁との接続部分が、箸本体を手で持った際に親指に引っ掛って箸本体の滑落を防止する指掛り部を構成しており、指掛り部は、親指の丸みを帯びた立体曲面形状に対応して親指の曲面に面密着するように箸本体と突起部の下縁とを滑らかに連続して接続するＲ状湾曲面を含むことから、指掛り部が親指に係合するので使用中に不用意に持ち手から箸が滑落するのを防止でき、特に、指掛り部には親指の曲面形状に対応するＲ状湾曲面を含むので、箸が手に馴染みやすく、フィット感及び操作性を損なうことがなく、使い勝手もよい。さらに、箸を手で持った際に、指掛り部近傍に親指が配置されるように位置合わせて握ることにより、箸を容易に保持でき正しい持ち方の習得に寄与できる。さらに、構造が簡単で簡単に製造できる。
【００１３】
また、突起部が設けられた位置からつまみ部側とは逆方向に箸本体を延長する延長部が設けられた構成とすることにより、箸を持って指掛り部が親指と係合した際に該延長部が人差指や人差指の根元側にあたるので、落下防止機能を向上させるとともに、手へのフィット性や操作性も向上しうる。また、延長部を利用して、種々のデザインを施すことができるので、商品としての高付加価値化及び、芸術性や独創性の高い箸製作を行うことができ箸の多様化を実現できる。
【００１４】
また、突起部は箸本体の長手軸方向から見た際に箸本体から一方向に伸びるように箸本体からＬ字曲折状に突設された構成とすることにより、シンプル、簡単な構成で、確実に親指に確実に係合するとともに、箸操作の邪魔になりにくい突起部及び指掛り部の構造を具体的に実現できるうえ、低コストで製造できる。
【００１５】
また、指掛り部に沿って親指を係合させた際の、親指と人差指との接続谷部側となる箸本体の側面を略平坦面で形成した構成とすることにより、人差指側や接続谷部側に当たる部分が略平坦面なので、箸の操作に邪魔になったり、違和感もなく、手に馴染んでフィット感が高い。
【００１６】
また、箸本体の突起部近傍の横幅が幅広く形成された構成とすることにより、箸を手に持った際に幅広の部分が手に馴染みフィット感が高くて持ちやすく、使い勝手も良い。
【００１７】
また、箸本体は竹を原材料とし、節部を一端部側に含むように縦切断された竹を細幅に加工し、該細幅の竹の節部の一部を突起部として残存加工させることにより、箸本体と突起部とを一体的に形成した構成とすることから、自然素材の竹の節部を有効に利用して、箸本体と突起部とを一体化した構造を簡単に製造することができる。さらに、竹特有の風合いを利用してデザイン的にも一体感が高く、優れた箸を提供できる。また、豊富にある竹資源の有効利用を図ることができる。
【図面の簡単な説明】
【００１８】
【図１】本考案の実施形態に係る箸の正面図である。
【図２】図１の箸の平面図である。
【図３】図１の箸を箸本体の長手軸方向から見た図である。
【図４】図１の箸の使用状態説明図である。
【図５】他の実施形態の箸の説明図である。
【図６】他の実施形態の箸の説明図である。
【図７】図１の箸を製造する際の概略説明図である。
【図８】突起部を変更した他の実施形態の箸の正面図である。
【図９】図８の箸を箸本体の長手軸方向から見た図である。
【図１０】突起部を変更した他の実施形態の箸の正面図である。
【図１１】図１０の箸を箸本体の長手軸方向から見た図である。
【考案を実施するための形態】
【００１９】
以下、添付図面を参照しつつ本考案の箸の実施の形態について説明する。本考案の箸は、箸本体と突起部とを備え、該箸本体と突起部とで構成される指掛り部により、使用中に持ち手から箸が滑落するのを防止しながら、良好に使用して食事等を行えるものである。図１ないし図４は、本考案に係る箸の一実施形態を示している。図１、図２に示すように、本実施形態において、箸１０は、箸本体１２と、箸本体１２の端部１２Ｕ側位置に突設されて指掛け部２４を構成する突起部１４と、を備えている。
【００２０】
図１、図２に示すように、箸本体１２は、一方に長く形成され、一端１２Ｔ側につまみ部１６が、他端１２Ｕ側に把持部１８が形成される。本実施形態では、箸本体１２は、例えば、竹を原材料として突起部１４とともに一体的に形成されている。箸本体１２は、一端１２Ｔ側（箸先側）に向けて次第に細くなるようにテーパ加工されてつまみ部１６が設けられる一方、他端１２Ｕ側（箸頭部側）は比較的太く設けられて把持部１８となっている。本実施形態では、把持部１８の端部１２Ｕ寄り位置に突起部１４が突設されており、該突設部１４近傍の横幅Ｗが幅広く形成されている。すなわち、箸本体１２の把持部１８は親指と人差指とで挟まれる縦幅より指に沿う横幅の方が幅広い断面略偏平矩形状となっており、幅広に形成された対向する側面１２ａ、１２ｂ、及びそれらの側面を接続した他の対向する側面１２ｃ、１２ｂが略平坦面で形成されている。そして、一方の側面１２ａの端部１２Ｕ寄り位置に突起部１４が突設され、他方の側面１２ｂは突起部が突設されず延長部２８側まで連続して略平坦面２０が形成される。すなわち、後述のように指掛り部２４に沿って親指Ｆ１を係合させた際に、親指Ｆ１と人差指Ｆ２との接続谷部Ｖ側となる箸本体の側面１２は略平坦面２０で形成されている。これによって、箸本体を持った際に指にフィットして持ちやすく、かつ扱いやすくなっている。なお、箸本体１２は上記した形態に限らず、例えば、図５に示すように、箸本体１２のつまみ部１６や、把持部１８に細かな凹凸を設けて、滑り止め加工３０しても良い。また、箸本体１２の全体又は一部に、文字、模様、図柄等を描いたり、着色や漆塗り、金箔等を含む種々の装飾及び加工等をしてもよい。
【００２１】
突起部１４は、把持部１８の端部１２Ｕ寄り位置に該箸本体１２の長手軸１２０からその軸回り外周方向に向けて突設されている。本実施形態では、突起部１４は、箸本体１２の他端１２Ｕより若干（例えば、数ｃｍ程度）つまみ部側に寄った位置に設けられており、該突起部１４が設けられた位置と箸本体の他端１２Ｕとの間に延長部２８を設けている。すなわち、箸本体１２の頭部側には、突起部１４と延長部２８が設けられている。突起部１４は、例えば、箸本体１２の幅広の側面１２ａと略同じ幅の略舌片形状に設けられており、基部側を箸本体１２の該側面１２ａに接続しつつ、円弧状の先端側を箸本体１２の長手方向Ｘに対して略直角方向となる一側方Ｄに向けて略Ｌ字折曲状に突設されている。すなわち、図３に示すように、突起部１４は、箸本体１２の長手軸１２０方向から見た際に、該箸本体１２から一方向Ｄに向けてのみ伸びるようになっている。突起部１４は、その突設部分のうちつまみ部１６側に向いている下縁１４ａが親指Ｆ１に十分引っ掛かるような高さで突設されている。なお、突起部１４は、本実施形態のように箸本体１２の長手軸方向から見た際に一方向にのみ突設される態様に限らない。例えば、図８、図９に示すように、箸本体１２の長手軸方向から見た際に、複数（図９上では、４個）の突起部１４が該箸本体１２からその長手軸回り外周方向に向けて放射状に突設されるように設けても良い。なお、突起部１４の数は２個、３個、５個以上の任意の数でもよい。また、複数の突起部１４は箸本体１２の長手軸方向から見た際に対称的に配置されていてもよく、非対称的に配置されていてもよい。また、例えば、図１０、図１１に示すように、箸本体１２の側面の全周から環状に連続して張り出した構成としてもよく、その他箸本体とともに指掛り部２４を構成しうるような任意の構造でもよい。
【００２２】
本実施形態では、図１、図２、図４に示すように、箸本体１２の一方の幅広の側面１２ａと突起部１４の下縁１４ａとの接続部分２２が指掛り部２４を構成している。指掛り部２４は、箸本体１２を手で持った際に親指Ｆ１に引っ掛って箸本体１２の滑落を防止する機能を具体的に実現している。指掛り部２４は、図１の仮想線や図４に示すように親指Ｆ１の丸みを帯びた立体曲面形状に対応して親指Ｆ１の曲面に面密着するように箸本体の一側面１２ａと突起部の下縁１４ａとを滑らかに連続して接続するＲ状湾曲面２６を含む。したがって、このＲ状湾曲面２６により指掛り部２４に係合する親指Ｆ１が良好にフィットすることから、箸本体１２に突起部並びに指掛り部を設けた構成であっても違和感が少なく、使い勝手を損なうことがない構成を実現している。
【００２３】
本実施形態では、突起部１４が設けられた位置からつまみ部１６側とは逆方向に箸本体１２を延長する延長部２８が設けられている。図１、図２において、延長部２８は、把持部１８からそのまま他端側を長手方向に沿って略矩形状に延長している。延長部２８は、使用者が箸本体を手で持って指掛り部２４が親指Ｆ１と係合した際に人差指Ｆ２や人差指の根元側（Ｖ）に当たることから、箸の操作性、フィット性、滑落防止機能を向上しうる。さらに、この延長部２８を利用して種々のデザインを施すことができ個人の好み等に応じた多様な箸を製作することができる。延長部２８の形状は矩形状に限らず、例えば、略楕円形状のようなＲ形状、次第に狭くなる又は次第に大きくなるテーパ形状、又は人形、動物、昆虫や植物、乗り物やキャラクタを模した形状等、その他任意の形状に設けてもよい。また、延長部２８に、所有者等の名前や地名その他の文字、記号、模様、自然物や風景、乗り物やキャラクタ等の図柄等を施したり、着色や漆塗り、金箔等を含む様々な装飾及び加工等をすることもできる。さらに、延長部２８と突起部１４との形状を組合わせることで様々な形態を創出することもできる。例えば、突起部１４を動物の口や鳥の嘴等に見立てながら延長部２８に動物や鳥の顔を描いたデザイン等としてもよい。また、図６に示すように、延長部２８は、２本１対の箸本体１２の延長部２８を組み合わせて、すなわち２つの延長部２８を組合わせて、犬等の動物の顔や蝶を模した１つのデザインを形成してもよい。これにより、箸の操作に応じて犬の口を開閉したり、蝶が羽根を羽ばたかせるように動くので、興趣性の高いデザインの箸を製作することができる。このように、延長部を利用して箸の商品としての高付加価値化、及び独創性を反映したデザイン性の高い箸製作を行うことができ箸の多様化を実現できる。
【００２４】
図７に示すように、本実施形態では、箸１０を原材料の竹１００から製作する際には、適当な長さに切断された節部５２付きの竹５０を縦切断して細幅に加工する。この細幅に加工された竹５０ａは、一端部側に節部５２を含んでおり、その節部５２の一部を残存加工させて突起部１４とする。つまみ部１６となる側を細く削るとともに、把持部１８側を幅広く形成し、さらに突起部１４の高さ及び形状を整える。なお、必要に応じて、延長部２８の部分を所望の形状に加工する。これにより、竹資源を有効に利用して、極めて簡単に箸本体１２と突起部１４とを一体的に形成することができる。
【００２５】
次に、本考案に係る箸の作用について説明する。図４に示すように、２本の箸を、突起部１４が設けられている位置近傍に親指Ｆ１がくるようにしながら、通常箸を握るように、２本の箸を親指Ｆ１と人差指Ｆ２との間で挟みつつ、中指Ｆ３、薬指Ｆ４及び小指Ｆ５を下側から添える。この際、指掛り部２４近傍に親指Ｆ１を配置させることにより、箸を容易に保持でき正しい持ち方の習得に寄与できる。さらに、箸を手に持った際に指掛り部２４に親指Ｆ１が係合しうるが、該指掛り部には親指Ｆ１の曲面形状に対応するＲ状湾曲面２６が形成されているので、手に馴染みやすく、該突起部１４を設けた構成であっても違和感があったり操作性を損なうことがない。これにより、使用中に不用意に持ち手から箸が滑落するのを防止できる。また、箸本体１２の把持部１８は、突起部１４近傍の横幅Ｗが幅広く形成されているので、箸を持ちやすく、より指とのフィット性が向上しており、使い勝手がよい。
【００２６】
以上説明した本考案の箸は、上記した実施形態のみの構成に限定されるものではなく、実用新案登録請求の範囲に記載した本考案の本質を逸脱しない範囲において、任意の改変を行ってもよい。
【産業上の利用可能性】
【００２７】
本考案の箸は、一般成人は当然ながら、子供、高齢者、けがや病気等で手の機能が衰えた者、又は箸を使い慣れない例えば外国人等に対しても、だれでも広く好適に利用でき、使用中に不用意に箸が滑落するのを防止できる。また、本考案の箸は、一般食事用に限らず、例えば、調理や食事の配膳、取り分け等に使われる菜箸にも適用できる。
【符号の説明】
【００２８】
１０    箸
１２    箸本体
１４    突起部
１６    つまみ部
１８    把持部
２０    略平坦面
２２    接続部分
２４    指掛り部
２６    Ｒ状湾曲面
２８    延長部
【図１】
0003149571.tif 000003
【図２】
0003149571.tif 000004
【図３】
0003149571.tif 000005
【図４】
0003149571.tif 000006
【図５】
0003149571.tif 000007
【図６】
0003149571.tif 000008
【図７】
0003149571.tif 000009
【図８】
0003149571.tif 000010
【図９】
0003149571.tif 000011
【図１０】
0003149571.tif 000012
【図１１】
0003149571.tif 000013